(57)【特許請求の範囲】
【請求項１】
断面がコの字状のボビンにシャントコイルが巻回されると共に、ボビンに巻回されたシャントコイルがボビンと共に複数個所テーピングされ固定された形態でスタータのヨーク内部に取り付けられるスタータの巻線構造において、
上記ボビンは、
テーピングされる位置でのボビンの両側面巻枠に、シャントコイルの巻層高より深い第１の切り欠き部が形成されてなると共に、
シャントコイルの引き出し部分側の側面巻枠に、巻枠底面部からストレート形状の第２の切り欠き部が形成されてなること
を特徴とするスタータの巻線構造。
【請求項２】
上記第２の切り欠き部におけるストレート形状は、当該ストレート形状内に巻枠底面部に達するスリット形状部を有する形状であることを特徴とする請求項１に記載のスタータの巻線構造。
【請求項３】
断面がコの字状のボビンにシャントコイルが巻回されると共に、ボビンに巻回されたシャントコイルがボビンと共に複数個所テーピングされ固定された形態でスタータのヨーク内部に取り付けられるスタータの巻線構造において、
上記ボビンは、シャントコイルの引き出し部分側の側面巻枠に、巻枠底面部からテーパー形状の第２の切り欠き部が形成されてなること
を特徴とするスタータの巻線構造。
【請求項４】
断面がコの字状のボビンにシャントコイルが巻回されると共に、ボビンに巻回されたシャントコイルがボビンと共に複数個所テーピングされ固定された形態でスタータのヨーク内部に取り付けられるスタータの巻線構造において、
上記ボビンは、
テーピングされる位置でのボビンの両側面巻枠に、シャントコイルの巻層高より深い第１の切り欠き部が形成されてなると共に、
シャントコイルの引き出し部分側の側面巻枠に、テーパー形状の第２の切り欠き部が形成されてなること
を特徴とするスタータの巻線構造。
【請求項５】
上記第１の切り欠き部及び／又は上記第２の切り欠き部は、巻枠底面部から切り欠かれていることを特徴とする請求項４に記載のスタータの巻線構造。
【請求項６】
上記第１の切り欠き部及び／又は上記第２の切り欠き部は、ボビンの巻枠底面部に形成された第３の切り欠き部に連続した形態で形成されていることを特徴とする請求項４に記載のスタータの巻線構造。
【発明の詳細な説明】
【０００１】
【発明の属する技術分野】
本発明は、スタータの巻線構造、特にスタータのシャントコイルを自動巻線機でボビンに巻回する際、シャントコイルの巻始め（電流を流す方向に基づいて、巻終わりと呼ばれる場合あり）の引き出し部分の線の存在によって、ボビンの巻枠の形状が崩れるのを防止すると共に、巻回されたシャントコイルがボビンに堅固に固定されるようにしたスタータの巻線構造に関するものである。
【０００２】
【従来の技術】
スタータの巻線として電機子コイルの他、磁界を発生させるフィールドコイルやシャントコイルを備えている。このシャントコイルは、スタータの初期トルクの発生の他、補助トルクの増加やオーバランニングクラッチ付ピニオンの戻り時のスタータの回転停止を促進させる負荷としての役割を負っている。
【０００３】
ところで、図２２の従来のシャントコイル巻線組み立図、図２３の図２２におけるＡ−Ａ断面図、図２４図の図２２におけるＢ−Ｂ断面図に図示されている如く、シャントコイル１が巻回される断面がコの字状に形成された従来のボビン２は、シャントコイル１を自動巻線するに当たって、シャントコイル巻始め３（電流を流す方向が反対向きのとき、巻終わりとなる）の引出し線位置の関係からボビン２の長手方向、上部の巻枠中央部位置からシャントコイル巻始め３を固定しておいて巻回し、シャントコイル巻終わり４をシャントコイル巻始め３と同じ部分から引き出し、所要個所を絶縁テープ５でボビン２の巻枠の外側からテーピングすることにより、シャントコイル１の固定化を行っていた。
【０００４】
【発明が解決しようとする課題】
従来のシャントコイル１の巻枠断面がコの字状に形成されたままの形状のボビン２では、当該ボビン４に巻回されるシャントコイル巻始め３の引き出し部分の線が、ボビン２の巻枠底面位置からその巻枠外へ引き出されるため（図２４参照）、当該シャントコイル巻始め３の引き出し部分の線が、図２４図示の如く外側に向かって出っ張ることが生じ、ボビン２にシャントコイル１を巻回するにつれボビン２の側面巻枠が図示の矢印の如く外側に拡張されてその先端部が開いた形状の巻線となる。
【０００５】
従来の形状のボビン２に巻回されたシャントコイル１をスタータのヨークに組み立てると、このボビン２の巻枠先端部が開いた形状により、アーマチュアとのギャップが確保されずに当たってしまい、ボビン２が破壊される虞があった。
【０００６】
また、ボビン２の巻枠を絶縁テープ５で巻枠の外側からテーピングしてシャントコイル１の固定化をしているので、シャントコイル１を直接固定化する状態となっておらず、そのためシャントコイル１がボビン２の中で振動し、ショートする虞があった。
【０００７】
本発明は、上記の点に鑑みなされたものであり、シャントコイルをボビンに巻回するに当たって、シャントコイル巻始めの引き出し部分の線によってボビンの巻枠先端部が開いた形状となることが少なく、かつシャントコイルがボビン内に堅固に固定化されるボビン形状を備えたスタータの巻線構造を提供することを目的としている。
【０００８】
【課題を解決するための手段】
上記の目的の解決を解決するために、本発明のスタータの巻線構造は、断面がコの字状のボビンにシャントコイルが巻回されると共に、ボビンに巻回されたシャントコイルがボビンと共に複数個所テーピングされ固定された形態でスタータのヨーク内部に取り付けられるスタータの巻線構造において、上記ボビンは、テーピングされる位置でのボビンの両側面巻枠に、シャントコイルの巻層高より深い第１の切り欠き部が形成されてなると共に、シャントコイルの引き出し部分側の側面巻枠に、巻枠底面部からストレート形状の第２の切り欠き部が形成されてなることを特徴としている。
【０００９】
そして、上記第２の切り欠き部におけるストレート形状は、当該ストレート形状内に巻枠底面部に達するスリット形状部を有する形状であることを特徴としている。
【００１０】
また、本発明のスタータの巻線構造は断面がコの字状のボビンにシャントコイルが巻回されると共に、ボビンに巻回されたシャントコイルがボビンと共に複数個所テーピングされ固定された形態でスタータのヨーク内部に取り付けられるスタータの巻線構造において、上記ボビンは、シャントコイルの引き出し部分側の側面巻枠に、巻枠底面部からテーパー形状の第２の切り欠き部が形成されてなること特徴としている。
【００１１】
また、本発明のスタータの巻線構造は断面がコの字状のボビンにシャントコイルが巻回されると共に、ボビンに巻回されたシャントコイルがボビンと共に複数個所テーピングされ固定された形態でスタータのヨーク内部に取り付けられるスタータの巻線構造において、上記ボビンは、テーピングされる位置でのボビンの両側面巻枠に、シャントコイルの巻層高より深い第１の切り欠き部が形成されてなると共に、シャントコイルの引き出し部分側の側面巻枠に、テーパー形状の第２の切り欠き部が形成されてなること特徴としている。
【００１２】
そして、上記第１の切り欠き部及び／又は上記第２の切り欠き部は、巻枠底面部から切り欠かれていてもよく、更に上記第１の切り欠き部及び／又は上記第２の切り欠き部は、ボビンの巻枠底面部に形成された第３の切り欠き部に連続した形態で形成されていてもよい。
【００１３】
ボビンの両側面巻枠に、シャントコイルの巻層高より深い第１の切り欠き部が形成されているので、当該第１の切り欠き部でテーピングすることにより、シャントコイルを堅固にボビンに固定化でき、また第２の切り欠き部で、又第２の切り欠き部と第３の切り欠き部とでシャントコイルの巻始めの部分をボビン内部、すなわちボビンの巻枠内からその外部に逃がすことができるので、ボビンの巻枠先端部が開くことは少ない。
【００１４】
【発明の実施の形態】
図１は本発明の一実施例巻線構造説明図、図２は図１に用いられているボビンの一実施例形状説明図、図３は図２のＣ−Ｃ矢視拡大図、図４は図２の上面図を示している。
【００１５】
図１，図２，図３，図４において、断面がコの字状の巻枠を有するボビン２の長手方向の両側に長方形状の切り欠き部６が形成されており、またボビン２の長手方向以外には、断面がコの字状のボビンの巻枠底面内部からシャントコイル巻始め３の引き出し部分の線をそのボビン巻枠内からその外へ逃がすため、細いスリット状をしたストレート形状の切り欠き部７若しくは上記切り欠き部６とシャントコイル巻始め３の引出し部分をその外側に引き出す切り欠き部７とが一体化されてなる切り欠き部８が形成される。（円Ｘ内参照）
そして、ボビン２の長手方向の両側の切り欠き部６は、図５に例示する如くシャントコイル１の巻層高より深く形成され、すなわち切り欠き部６の側面巻枠Ｄはシャントコイル１の巻層高Ｈより低く（短く）形成されている。それ故絶縁テープ５でボビン２の巻枠をその外側からテーピングすることにより、ボビン２に巻回されたシャントコイル１は当該ボビン２に直接固定化される構造となり、シャントコイル１が振動することはない。
【００１６】
また、上記ボビン２の上部に形成された細いスリット状をしたストレート形状の切り欠き部７は、図２の上面図を示している図４の如く、ボビン２の両側面巻枠にそれぞれ設けられている。しかしボビン２の一方の側面巻枠だけに形成されていてもよい。
【００１７】
シャントコイル１をボビン２に自動巻線を行うに当たって、シャントコイル巻始め３の引き出し部分を当該切り欠き部７の巻枠底面内部から切り欠き部７を介してその外へ引き出し、その状態の下で整列巻を行う。所定巻数を巻き終えると、シャントコイル巻始め３を図１図示の如く折り曲げ、切り欠き部７に沿ってシャントコイル巻終わり４の方向に取り出す。そして絶縁テープ５でシャントコイル巻始め３とシャントコイル巻終わり４とを、ボビン２とともに図６図示の如く粘着固定する。
【００１８】
このときシャントコイル巻始め３の引き出し部分の線はボビン２の巻枠外へ引き出されているので、自動巻線の整列巻の邪魔となることはなく、ボビン２の側面巻枠の先端部が開いた形状となることが少ない。そしてシャントコイル巻始め３の引き出し部分は切り欠き部７に沿って、すなわちボビン２の側面巻枠厚みを利用しているので、当該シャントコイル巻始め３の引き出し部分がボビン２の側面巻枠表面から飛び出ないか、或いは少なくて済ますことができる。
【００１９】
図１のボビン２の下部の円Ｘは、図７，図８に示されている如く、シャントコイル１の固定用として用いられる上記切り欠き部６とシャントコイル巻始め３の引き出し部分をその外側に引き出す切り欠き部７とが一体化されてなる切り欠き部８が形成されたものである。
【００２０】
当該切り欠き部８には、上記説明のシャントコイル巻始め３の引き出し部分の線をボビン２の側面巻枠内からその外へ引き出す切り欠き部７が形成されているので、上記説明の如く当該切り欠き部７により、シャントコイル巻始め３の引き出し部分の線をその外へ引き出すことができ、シャントコイル１の自動整列巻の巻線を行うことができる。
【００２１】
所定巻数を巻き終えると、シャントコイル巻始め３の引き出し部分を図１図示の如く折り曲げ、切り欠き部７に沿ってシャントコイル巻終わり４の方向に取り出す。そしてシャントコイル巻始め３とシャントコイル巻終わり４とを、図９図示の如く配置し、絶縁テープ５でボビン２の巻枠を外側からテーピングすることにより、ボビン２に巻回されたシャントコイル１を当該ボビン２に堅固に固定化する。この構造によりシャントコイル１は振動することはない。
【００２２】
図１０は本発明の他の実施例巻線構造説明図、図１１は図１０に用いられているボビンの一実施例形状説明図、図１２は図１１の上面図を示している。
【００２３】
図１０，図１１，図１２において、断面がコの字状の巻枠を有するボビン２の長手方向の両側に長方形状の切り欠き部６が形成されており、またボビン２の長手方向以外には、その巻枠底面内部からシャントコイル巻始め３の引き出し部分の線をその外へ引き出すテーパー形状の切り欠き部１０が形成されている。
【００２４】
当該テーパー形状の切り欠き部１０は２個所形成されるのが望ましいが１個所だけでもよい。
【００２５】
そして、ボビン２の長手方向の両側の切り欠き部６は、既に説明した図５で例示された如く、シャントコイル１の巻層高より深い切り欠きが形成され、すなわち切り欠き部６の側面巻枠Ｄはシャントコイル１の巻層高Ｈより低く（短く）形成されている。それ故絶縁テープ５でボビン２の巻枠をその外側からテーピングすることにより、ボビン２に巻回されたシャントコイル１は当該ボビン２に直接固定化され、シャントコイル１がボビン２の中で振動することはない。
【００２６】
また、上記ボビン２の長手方向以外に形成された切り欠き部１０は、図１１の上面図を示している図１２の如く、ボビン２の両側面巻枠にそれぞれ設けられている。しかしボビン２の一方の側面巻枠に形成されていてもよい。
【００２７】
シャントコイル１をボビン２に自動巻線を行うに当たって、シャントコイル巻始め３の引き出し部分を当該切り欠き部１０の巻枠底面内部からその外側へ引き出し、その状態の下で整列巻を行う。所定巻数を巻き終えると、シャントコイル巻始め３を図１０などに図示の如く折り曲げ、切り欠き部１０の積層シャントコイル端面に沿ってシャントコイル巻終わり４の方向に取り出す。そして絶縁テープ５でシャントコイル巻始め３とシャントコイル巻終わり４とを、図１０，図１３，図１４図示の如く粘着固定する。
【００２８】
このときシャントコイル巻始め３の引き出し部分の線は、切り欠き部１０によりボビン２の巻枠外に引き出せるので、自動巻線の整列巻の邪魔となることはなく、ボビン２の側面巻枠の先端部が開いた形状となることが少ない。
【００２９】
図１５はシャントコイルの巻始めを処理する切り欠き部分の他の実施例部分説明図、図１６は図１５のＥ−Ｅ矢視図を示している。
【００３０】
図１５，図１６において、シャントコイル１が巻き始められる位置のシャントコイル巻始め３の引き出し部分を処理し巻回されたシャントコイル１をボビン２に固定するための切り欠き部１１は、図１１などで説明したテーパー形状の切り欠き部１０と当該切り欠き部１０に連続してボビンの巻枠底面部９に設けられた切り欠き部３１とで形成されている。
【００３１】
この切り欠き部１１が形成されたボビン２では、新たに切り欠き部３１が設けられたことにより、当該ボビン２に巻回されるシャントコイル１は当該切り欠き部３１を用いた絶縁テープ５の巻き付けで、シャントコイル巻始め３、シャントコイル巻終わり４を含めシャントコイル１を更に強固に固定化することができる。
【００３２】
改めて説明するまでもなく、ボビン２に形成される切り欠き部１１が一方の側面巻枠のときだけでは、上記切り欠き部３１は片側だけという形態が採られる。
【００３３】
また、図２，図７に図示された各ボビン２の巻枠底面部に、切り欠き部６，８に連続した形態で図１６に示された切り欠き部３１を形成しておいてもよい。
【００３４】
図１７はシャントコイルの巻始めを処理する切り欠き部分の他の実施例部分説明図を表している。
【００３５】
同図において、テーパー形状の切り欠き部３２は、その切り欠き部分がボビン２の巻枠底面部９にまで形成されていない。これは図２４から分かるように、ボビン２の巻枠底面部９近傍でのシャントコイル巻始め３の引き出し部分の線による巻枠への影響が小さいからであり、切り欠き部３２が形成されたその途中からシャントコイル巻始め３の引き出し部分の線を巻枠外へ出す構造にして、ボビン２の巻枠先端部の拡大を阻止しようとするものである。
【００３６】
ボビン２の形状において、シャントコイル巻始め３の引き出し部分がボビン２の側面巻枠内からその外へ飛び出さないようにするための切り欠き部は、作業性、ボビン２の汎用性を確保すため、一般的にボビン２の対称形状が採用されることが実用上多い。
【００３７】
図１８は４極スタータモータのシャントコイル組立図を示しており、上記説明の切り欠き部等の詳細図示は省略されているが、ボビン２にそれぞれ巻回されたシャントコイル１に矢印の方向に電流が流れるように、シャントコイル巻始め３シャントコイル巻終わり４がそれぞれ接続されターミナル１２，１３が付いた導線１４，１５にそれぞれ適宜に接続されている。
【００３８】
図１８図示の如く組み立てられたシャントコイルは、さらに図１９図示の如く平角銅線のフィールドコイル１６の内部に収納され、それぞれのフィールドコイル１６が電気的機械的に接続され、界磁巻線組立体１７が形成される。なお、１８，１９はフィールドコイル１６のターミナルである。
【００３９】
図２０はスタータのヨークに組み込まれた界磁巻線組立体の一実施例正面図、図２１は部分的に断面したその側面図を示している。
【００４０】
図２０，図２１において、図２０に示された界磁巻線組立体１７は、ヨーク２１と当該ヨーク２１に取り付けられるポールコア２２の形状に沿って成形され、ポールコア２２と共にヨーク２１に取り付けられる。
【００４１】
ヨーク２１の一端にはターミナルボルト２３が設けられており、当該ターミナルボルト２３には界磁巻線組立体１７を構成するシャントコイルのリード線である導線１５の端部１３が接続されており、ヨーク２１の他端にはコード組立体２４が設けられている。
【００４２】
【発明の効果】
以上説明した如く、本発明によれば、テーピングされるボビンの少なくとも一方の側面巻枠に、シャントコイルの巻層高より深い長方形状の切り欠き部を設けたので、シャントコイルをボビンに直接固定することができる。
【００４３】
シャントコイルを巻き始めるボビンの位置の少なくとも一方の側面巻枠に、スリット状をしたストレート形状或いはテーパー形状の切り欠き部を設け、或いは当該切り欠き部に連続してボビンの巻枠底面部にも切り欠き部を設けたボビン構造としたので、ボビンの側面巻枠の先端部が開いた形状となることが少なく自動巻線機で整列巻ができる。
【００４４】
しかもシャントコイル巻始めの引き出し部分を側面巻枠に設けられた切り欠き部の積層シャントコイル端面に沿って引き出せるので、シャントコイル巻始めの引き出し部分の線によるボビンの側面巻枠からその外表面への出っ張りが無いかその出っ張りを少なくすることができる。
【図面の簡単な説明】
【図１】本発明の一実施例巻線構造説明図である。
【図２】図１に用いられているボビンの一実施例形状説明図である。
【図３】図２のＣ−Ｃ矢視拡大図である。
【図４】図２の上面図である。
【図５】図１のＤ−Ｄ矢視図図である。
【図６】図１の部分上面図である。
【図７】図１に用いられているボビンの他の実施例形状説明図である。
【図８】図７の上面図である。
【図９】図１の部分底面図である。
【図１０】本発明の他の実施例巻線構造説明図である。
【図１１】図１０に用いられているボビンの一実施例形状説明図である。
【図１２】図１１の上面図である。
【図１３】図１０のボビン上部に設けられた切り欠き部の拡大構造説明図である。
【図１４】図１３の上面図である。
【図１５】シャントコイルの巻始めを処理する切り欠き部分の他の実施例部分説明図である。
【図１６】図１５のＥ−Ｅ矢視図である。
【図１７】シャントコイルの巻始めを処理する切り欠き部分の他の実施例部分説明図である。
【図１８】４極スタータモータのシャントコイル組立図である。
【図１９】界磁巻線の一実施例界磁巻線組立体説明図である。
【図２０】スタータのヨークに組み込まれた界磁巻線組立体の一実施例正面図である。
【図２１】部分的に断面したその側面図である。
【図２２】従来のシャントコイル巻線組み立図である。
【図２３】図２２におけるＡ−Ａ断面図である。
【図２４】図２２におけるＢ−Ｂ断面図である。
【符号の説明】
１  シャントコイル
２  ボビン
３  シャントコイル巻始め
４  シャントコイル巻終わり
５  絶縁テープ
６，７，８，１０，１１，３１，３２  切り欠き部
９  巻枠底面部
【図１】
0004691275.tif 000002
【図２】
0004691275.tif 000003
【図３】
0004691275.tif 000004
【図４】
0004691275.tif 000005
【図５】
0004691275.tif 000006
【図６】
0004691275.tif 000007
【図７】
0004691275.tif 000008
【図８】
0004691275.tif 000009
【図９】
0004691275.tif 000010
【図１０】
0004691275.tif 000011
【図１１】
0004691275.tif 000012
【図１２】
0004691275.tif 000013
【図１３】
0004691275.tif 000014
【図１４】
0004691275.tif 000015
【図１５】
0004691275.tif 000016
【図１６】
0004691275.tif 000017
【図１７】
0004691275.tif 000018
【図１８】
0004691275.tif 000019
【図１９】
0004691275.tif 000020
【図２０】
0004691275.tif 000021
【図２１】
0004691275.tif 000022
【図２２】
0004691275.tif 000023
【図２３】
0004691275.tif 000024
【図２４】
0004691275.tif 000025